(57)【要約】【課題】蓄積文書に対する認証機能を共有することができ、ネットワークおよび融合機のリソースを浪費することなく蓄積文書の出力が可能な画像形成装置，蓄積文書出力方法および蓄積文書出力システムを提供することを目的とする。【解決手段】画像形成処理で使用されるハードウェア資源と、画像形成に係る処理を行うプログラムと、蓄積文書を蓄積する文書蓄積手段とを有する画像形成装置１ａであって、ネットワークを介して接続された一の装置１２０から文書蓄積手段に蓄積された蓄積文書に対する証明情報取得要求を受信し、その証明情報取得要求に応じた証明情報を前記一の装置に送信する一方、ネットワークを介して接続された他の装置１ｂから証明情報を利用した蓄積文書取得要求を受信し、その証明情報に応じた蓄積文書を他の装置１ｂに送信する文書管理サービス１３２ａを有することにより上記課題を解決する。【選択図】          図３
2004362161.tif 000002
【特許請求の範囲】
【請求項１】
画像形成処理で使用されるハードウェア資源と、画像形成に係る処理を行うプログラムと、蓄積文書を蓄積する文書蓄積手段とを有する画像形成装置であって、
ネットワークを介して接続された一の装置から前記文書蓄積手段に蓄積された蓄積文書に対する証明情報取得要求を受信し、その証明情報取得要求に応じた証明情報を前記一の装置に送信する一方、
ネットワークを介して接続された他の装置から前記証明情報を利用した蓄積文書取得要求を受信し、その証明情報に応じた蓄積文書を前記他の装置に送信する文書管理サービスを有することを特徴とする画像形成装置。
【請求項２】
画像形成処理で使用されるハードウェア資源と、画像形成に係る処理を行うプログラムと、蓄積文書を蓄積する文書蓄積手段とを有する画像形成装置であって、
ネットワークを介して接続された一の装置から他の装置に蓄積された蓄積文書に対する証明情報を受信し、その証明情報を利用した蓄積文書取得要求を前記他の装置に送信する一方、
前記他の装置から前記証明情報に応じた蓄積文書を受信すると、前記蓄積文書を出力する文書出力サービスを有することを特徴とする画像形成装置。
【請求項３】
画像形成処理で使用されるハードウェア資源と、画像形成に係る処理を行うプログラムと、蓄積文書を蓄積する文書蓄積手段とを有する画像形成装置であって、
ネットワークを介して接続された一の装置から前記文書蓄積手段に蓄積された蓄積文書に対する証明情報取得要求を受信し、文書管理サービスの使用権限を証明する第１の証明情報および前記証明情報取得要求に応じた蓄積文書の使用権限を証明する第２の証明情報を前記一の装置に送信する一方、
ネットワークを介して接続された他の装置から前記第１および第２の証明情報を利用した蓄積文書取得要求を受信し、前記第２の証明情報に応じた蓄積文書を前記文書蓄積手段から取得して前記他の装置に送信する文書管理サービスを有することを特徴とする画像形成装置。
【請求項４】
画像形成処理で使用されるハードウェア資源と、画像形成に係る処理を行うプログラムと、蓄積文書を蓄積する文書蓄積手段とを有する画像形成装置であって、
ネットワークを介して接続された一の装置から他の装置の文書管理サービスの使用権限を証明する第１の証明情報および前記蓄積文書の使用権限を証明する第２の証明情報を受信し、前記第１および第２の証明情報を利用した蓄積文書取得要求を前記他の装置に送信する一方、
前記他の装置の文書管理サービスから前記第２の証明情報に応じた蓄積文書を受信し、前記蓄積文書を出力する文書出力サービスを有することを特徴とする画像形成装置。
【請求項５】
画像形成処理で使用されるハードウェア資源と、画像形成に係る処理を行うプログラムと、蓄積文書を蓄積する文書蓄積手段とを有する画像形成装置であって、
ネットワークを介して接続された一の装置から前記文書蓄積手段に蓄積された蓄積文書に対する証明情報取得要求を受信し、文書管理サービスの使用権限を証明する第１の証明情報および前記証明情報取得要求に応じた蓄積文書の使用権限を証明する第２の証明情報を前記一の装置に送信する一方、
ネットワークを介して接続された他の装置から前記第２の証明情報と前記文書管理サービスの使用権限を証明する第３の証明情報とを利用した蓄積文書取得要求を受信し、前記第２の証明情報に応じた蓄積文書を前記文書蓄積手段から取得して前記他の装置に送信する文書管理サービスを有することを特徴とする画像形成装置。
【請求項６】
前記文書管理サービスは、前記第１〜第３の証明情報の内容および識別情報を生成し、前記第１〜第３の証明情報の識別情報を前記一の装置または他の装置に送信する一方、前記第１〜第３の証明情報の内容を保持することを特徴とする請求項５記載の画像形成装置。
【請求項７】
前記文書管理サービスは、前記第２及び第３の証明情報を利用した蓄積文書取得要求を受信すると、前記第２及び第３の証明情報の識別情報を用いて前記第２及び第３の証明情報の内容を特定する一方、前記第２の証明情報の内容に応じた蓄積文書を前記文書蓄積手段から取得して前記他の装置の文書出力サービスに送信することを特徴とする請求項５記載の画像形成装置。
【請求項８】
前記証明情報取得要求は、少なくとも蓄積文書を識別するための識別情報および蓄積文書の使用権限を証明する暗証情報を含むことを特徴とする請求項５記載の画像形成装置。
【請求項９】
前記第１の証明情報は、前記一の装置と前記文書管理サービスとの間に確立されたセッションの識別情報であり、前記第３の証明情報は、前記他の装置と前記文書管理サービスとの間に確立されたセッションの識別情報であることを特徴とする請求項５記載の画像形成装置。
【請求項１０】
前記一の装置は、ネットワーク機器または画像形成装置であることを特徴とする請求項５乃至９何れか一項記載の画像形成装置。
【請求項１１】
前記他の装置は、画像形成装置であることを特徴とする請求項５乃至９何れか一項記載の画像形成装置。
【請求項１２】
画像形成処理で使用されるハードウェア資源と、画像形成に係る処理を行うプログラムと、蓄積文書を蓄積する文書蓄積手段とを有する画像形成装置であって、
ネットワークを介して接続された一の装置から文書出力サービスの使用権限を証明する第１の証明情報および前記蓄積文書の使用権限を証明する第２の証明情報を受信し、前記第２の証明情報と他の装置の文書管理サービスの使用権限を証明する第３の証明情報とを利用した蓄積文書取得要求を前記他の装置に送信する一方、
前記他の装置の文書管理サービスから前記第２の証明情報に応じた蓄積文書を受信し、前記蓄積文書を出力する文書出力サービスを有することを特徴とする画像形成装置。
【請求項１３】
前記文書管理サービスは、前記第３の証明情報の内容および識別情報を生成し、前記第３の証明情報の識別情報を前記他の装置に送信する一方、前記第３の証明情報の内容を保持することを特徴とする請求項１２記載の画像形成装置。
【請求項１４】
前記第１の証明情報は、前記一の装置と前記文書出力サービスとの間に確立されたセッションの識別情報であり、前記第３の証明情報は、前記他の装置と前記文書出力サービスとの間に確立されたセッションの識別情報であることを特徴とする請求項１２記載の画像形成装置。
【請求項１５】
前記一の装置は、ネットワーク機器または画像形成装置であることを特徴とする請求項１２乃至１４何れか一項記載の画像形成装置。
【請求項１６】
前記他の装置は、画像形成装置であることを特徴とする請求項１２乃至１４何れか一項記載の画像形成装置。
【請求項１７】
画像形成処理で使用されるハードウェア資源と、画像形成に係る処理を行うプログラムと、蓄積文書を蓄積する文書蓄積手段とを有する画像形成装置の蓄積文書出力方法であって、
ネットワークを介して接続された一の装置から前記文書蓄積手段に蓄積された蓄積文書に対する証明情報取得要求を受信する段階と、
前記証明情報取得要求に応じた証明情報を前記一の装置に送信する段階と、
ネットワークを介して接続された他の装置から前記証明情報を利用した蓄積文書取得要求を受信する段階と、
前記証明情報に応じた蓄積文書を前記他の装置に送信する段階と
を有することを特徴とする蓄積文書出力方法。
【請求項１８】
画像形成処理で使用されるハードウェア資源と、画像形成に係る処理を行うプログラムと、蓄積文書を蓄積する文書蓄積手段とを有する画像形成装置の蓄積文書出力方法であって、
ネットワークを介して接続された一の装置から他の装置に蓄積された蓄積文書に対する証明情報を受信する段階と、
前記証明情報を利用した蓄積文書取得要求を前記他の装置に送信する段階と、
前記他の装置から前記証明情報に応じた蓄積文書を受信する段階と、
受信した蓄積文書を出力する段階と
を有することを特徴とする蓄積文書出力方法。
【請求項１９】
画像形成処理で使用されるハードウェア資源と、画像形成に係る処理を行うプログラムと、蓄積文書を蓄積する文書蓄積手段とを有する画像形成装置の蓄積文書出力方法であって、
ネットワークを介して接続された一の装置から前記文書蓄積手段に蓄積された蓄積文書に対する証明情報取得要求を受信する段階と、
文書管理サービスの使用権限を証明する第１の証明情報および前記証明情報取得要求に応じた蓄積文書の使用権限を証明する第２の証明情報を前記一の装置に送信する段階と、
ネットワークを介して接続された他の装置から前記第１および第２の証明情報を利用した蓄積文書取得要求を受信する段階と、
前記第２の証明情報に応じた蓄積文書を前記文書蓄積手段から取得して前記他の装置に送信する段階と
を有することを特徴とする蓄積文書出力方法。
【請求項２０】
画像形成処理で使用されるハードウェア資源と、画像形成に係る処理を行うプログラムと、蓄積文書を蓄積する文書蓄積手段とを有する画像形成装置の蓄積文書出力方法であって、
ネットワークを介して接続された一の装置から他の装置の文書管理サービスの使用権限を証明する第１の証明情報および前記蓄積文書の使用権限を証明する第２の証明情報を受信する段階と、
前記第１および第２の証明情報を利用した蓄積文書取得要求を前記他の装置に送信する段階と、
前記他の装置の文書管理サービスから前記第２の証明情報に応じた蓄積文書を受信する段階と、
受信した蓄積文書を出力する段階と
を有することを特徴とする蓄積文書出力方法。
【請求項２１】
画像形成処理で使用されるハードウェア資源と、画像形成に係る処理を行うプログラムと、蓄積文書を蓄積する文書蓄積手段とを有する画像形成装置の蓄積文書出力方法であって、
ネットワークを介して接続された一の装置から前記文書蓄積手段に蓄積された蓄積文書に対する証明情報取得要求を受信する段階と、
文書管理サービスの使用権限を証明する第１の証明情報および前記証明情報取得要求に応じた蓄積文書の使用権限を証明する第２の証明情報を前記一の装置に送信する段階と、
ネットワークを介して接続された他の装置から前記第２の証明情報と前記文書管理サービスの使用権限を証明する第３の証明情報とを利用した蓄積文書取得要求を受信する段階と、
前記第２の証明情報に応じた蓄積文書を前記文書蓄積手段から取得して前記他の装置に送信する段階と
を有することを特徴とする蓄積文書出力方法。
【請求項２２】
画像形成処理で使用されるハードウェア資源と、画像形成に係る処理を行うプログラムと、蓄積文書を蓄積する文書蓄積手段とを有する画像形成装置の蓄積文書出力方法であって、
ネットワークを介して接続された一の装置から文書出力サービスの使用権限を証明する第１の証明情報および前記蓄積文書の使用権限を証明する第２の証明情報を受信する段階と、
前記第２の証明情報と他の装置の文書管理サービスの使用権限を証明する第３の証明情報とを利用した蓄積文書取得要求を前記他の装置に送信する段階と、
前記他の装置の文書管理サービスから前記第２の証明情報に応じた蓄積文書を受信する段階と、
受信した蓄積文書を出力する段階と
を有することを特徴とする蓄積文書出力方法。
【請求項２３】
ネットワークに接続された１つ以上の装置と、前記装置にネットワークを介して接続された画像形成装置とを用いて、前記画像形成装置の文書蓄積手段に蓄積された蓄積文書を出力する蓄積文書出力システムであって、前記画像形成装置は、ネットワークに接続された一の装置から前記文書蓄積手段に蓄積された蓄積文書に対する証明情報取得要求を受信し、その証明情報取得要求に応じた証明情報を前記一の装置に送信する一方、
ネットワークに接続された他の装置から前記証明情報を利用した蓄積文書取得要求を受信し、その証明情報に応じた蓄積文書を前記他の装置に送信する文書管理サービスを有することを特徴とする蓄積文書出力システム。
【請求項２４】
ネットワークに接続された１つ以上の装置と、前記装置にネットワークを介して接続された画像形成装置とを用いて、前記画像形成装置の文書蓄積手段に蓄積された蓄積文書を出力する蓄積文書出力システムであって、前記画像形成装置は、ネットワークに接続された一の装置から他の装置に蓄積された蓄積文書に対する証明情報を受信し、その証明情報を利用した蓄積文書取得要求を前記他の装置に送信する一方、
前記他の装置から前記証明情報に応じた蓄積文書を受信すると、前記蓄積文書を出力する文書出力サービスを有することを特徴とする蓄積文書出力システム。
【請求項２５】
ネットワークに接続された１つ以上の装置と、前記装置にネットワークを介して接続された画像形成装置とを用いて、前記画像形成装置の文書蓄積手段に蓄積された蓄積文書を出力する蓄積文書出力システムであって、前記画像形成装置は、ネットワークに接続された一の装置から前記文書蓄積手段に蓄積された蓄積文書に対する証明情報取得要求を受信し、文書管理サービスの使用権限を証明する第１の証明情報および前記証明情報取得要求に応じた蓄積文書の使用権限を証明する第２の証明情報を前記一の装置に送信する一方、
ネットワークに接続された他の装置から前記第１および第２の証明情報を利用した蓄積文書取得要求を受信し、前記第２の証明情報に応じた蓄積文書を前記文書蓄積手段から取得して前記他の装置に送信する文書管理サービスを有することを特徴とする蓄積文書出力システム。
【請求項２６】
ネットワークに接続された１つ以上の装置と、前記装置にネットワークを介して接続された画像形成装置とを用いて、前記画像形成装置の文書蓄積手段に蓄積された蓄積文書を出力する蓄積文書出力システムであって、前記画像形成装置は、ネットワークに接続された一の装置から他の装置の文書管理サービスの使用権限を証明する第１の証明情報および前記蓄積文書の使用権限を証明する第２の証明情報を受信し、前記第１および第２の証明情報を利用した蓄積文書取得要求を前記他の装置に送信する一方、
前記他の装置の文書管理サービスから前記第２の証明情報に応じた蓄積文書を受信し、前記蓄積文書を出力する文書出力サービスを有することを特徴とする蓄積文書出力システム。
【請求項２７】
ネットワークに接続された１つ以上の装置と、前記装置にネットワークを介して接続された画像形成装置とを用いて、前記画像形成装置の文書蓄積手段に蓄積された蓄積文書を出力する蓄積文書出力システムであって、前記画像形成装置は、ネットワークに接続された一の装置から前記文書蓄積手段に蓄積された蓄積文書に対する証明情報取得要求を受信し、文書管理サービスの使用権限を証明する第１の証明情報および前記証明情報取得要求に応じた蓄積文書の使用権限を証明する第２の証明情報を前記一の装置に送信する一方、
ネットワークに接続された他の装置から前記第２の証明情報と前記文書管理サービスの使用権限を証明する第３の証明情報とを利用した蓄積文書取得要求を受信し、前記第２の証明情報に応じた蓄積文書を前記文書蓄積手段から取得して前記他の装置に送信する文書管理サービスを有することを特徴とする蓄積文書出力システム。
【請求項２８】
ネットワークに接続された１つ以上の装置と、前記装置にネットワークを介して接続された画像形成装置とを用いて、前記画像形成装置の文書蓄積手段に蓄積された蓄積文書を出力する蓄積文書出力システムであって、前記画像形成装置は、ネットワークに接続された一の装置から文書出力サービスの使用権限を証明する第１の証明情報および前記蓄積文書の使用権限を証明する第２の証明情報を受信し、前記第２の証明情報と他の装置の文書管理サービスの使用権限を証明する第３の証明情報とを利用した蓄積文書取得要求を前記他の装置に送信する一方、
前記他の装置の文書管理サービスから前記第２の証明情報に応じた蓄積文書を受信し、前記蓄積文書を出力する文書出力サービスを有することを特徴とする蓄積文書出力システム。
【発明の詳細な説明】
【０００１】
【発明の属する技術分野】
本発明は、画像形成装置，蓄積文書出力方法および蓄積文書出力システムに係り、特にネットワークを介して接続された他の装置からの要求に応じて蓄積文書を出力するための画像形成装置，蓄積文書出力方法および蓄積文書出力システムに関する。
【０００２】
【従来の技術】
近年、プリンタ，コピー，ファクシミリおよびスキャナなどの各装置の機能を１つの筐体内に収納した画像形成装置（以下、融合機という）が知られるようになった。この融合機は、１つの筐体内に表示部，印刷部および撮像部などを設けると共に、プリンタ，コピー，ファクシミリおよびスキャナにそれぞれ対応する４種類のソフトウェアを設け、そのソフトウェアを切り替えることより、プリンタ，コピー，ファクシミリおよびスキャナとして動作させるものである。特許文献１には、上記のような融合機の一例が記載されている。
【０００３】
このような融合機は、例えば文書管理データベース（以下、文書管理ＤＢという）に文書ファイルを蓄積文書として格納している。融合機はネットワーク機器や他の融合機などにネットワークを介して接続され、ネットワーク機器などからの指示により文書管理ＤＢに格納している蓄積文書の出力を行う。例えば融合機は出力機能（印刷機能など）を利用して、文書管理ＤＢに格納している蓄積文書の出力を行う。なお、セキュリティ上の問題に対応するため、融合機は文書管理ＤＢに格納している蓄積文書にパスワードを設定することが多い。
【０００４】
例えば融合機の文書管理ＤＢに格納されている蓄積文書を出力する場合、ネットワーク機器は所望の蓄積文書を識別するための文書ＩＤおよびその蓄積文書の使用権限を証明するパスワードを融合機に送信する。融合機はパスワード認証を行った後に、文書ＩＤに対応する蓄積文書を文書管理ＤＢから読み出し、その蓄積文書を出力する。
【０００５】
【特許文献１】
特開２００２−８４３８３号公報
【０００６】
【発明が解決しようとする課題】
例えば１つ以上の融合機およびネットワーク機器がネットワークを介して接続されている蓄積文書出力システムでは、１つ以上の融合機の文書管理ＤＢに蓄積文書を格納している。
【０００７】
したがって、文書管理ＤＢに格納されている蓄積文書にパスワードが設定されている場合、蓄積文書出力システムでは文書管理ＤＢに蓄積文書を格納している融合機ごとにパスワード認証の機能を設ける必要があり、機能が重複するという問題があった。
【０００８】
また、蓄積文書出力システムでは一の融合機の文書管理ＤＢに格納されている蓄積文書を他の融合機に出力させる場合、文書管理ＤＢから読み出した蓄積文書をそのまま一の融合機からネットワーク機器を介して他の融合機に転送する。したがって、蓄積文書出力システムのネットワークおよび融合機のリソースを無駄に浪費しているという問題があった。
【０００９】
本発明は、上記の点に鑑みなされたもので、蓄積文書に対する認証機能を共有することができ、ネットワークおよび融合機のリソースを浪費することなく蓄積文書の出力が可能な画像形成装置，蓄積文書出力方法および蓄積文書出力システムを提供することを目的とする。
【００１０】
【課題を解決するための手段】
そこで、上記課題を解決するため、本発明は、画像形成処理で使用されるハードウェア資源と、画像形成に係る処理を行うプログラムと、蓄積文書を蓄積する文書蓄積手段とを有する画像形成装置であって、ネットワークを介して接続された一の装置から前記文書蓄積手段に蓄積された蓄積文書に対する証明情報取得要求を受信し、その証明情報取得要求に応じた証明情報を前記一の装置に送信する一方、ネットワークを介して接続された他の装置から前記証明情報を利用した蓄積文書取得要求を受信し、その証明情報に応じた蓄積文書を前記他の装置に送信する文書管理サービスを有することを特徴とする。
【００１１】
また、本発明は、画像形成処理で使用されるハードウェア資源と、画像形成に係る処理を行うプログラムと、蓄積文書を蓄積する文書蓄積手段とを有する画像形成装置であって、ネットワークを介して接続された一の装置から他の装置に蓄積された蓄積文書に対する証明情報を受信し、その証明情報を利用した蓄積文書取得要求を前記他の装置に送信する一方、前記他の装置から前記証明情報に応じた蓄積文書を受信すると、前記蓄積文書を出力する文書出力サービスを有することを特徴とする。
【００１２】
また、本発明は、画像形成処理で使用されるハードウェア資源と、画像形成に係る処理を行うプログラムと、蓄積文書を蓄積する文書蓄積手段とを有する画像形成装置であって、ネットワークを介して接続された一の装置から前記文書蓄積手段に蓄積された蓄積文書に対する証明情報取得要求を受信し、文書管理サービスの使用権限を証明する第１の証明情報および前記証明情報取得要求に応じた蓄積文書の使用権限を証明する第２の証明情報を前記一の装置に送信する一方、ネットワークを介して接続された他の装置から前記第１および第２の証明情報を利用した蓄積文書取得要求を受信し、前記第２の証明情報に応じた蓄積文書を前記文書蓄積手段から取得して前記他の装置に送信する文書管理サービスを有することを特徴とする。
【００１３】
また、本発明は、画像形成処理で使用されるハードウェア資源と、画像形成に係る処理を行うプログラムと、蓄積文書を蓄積する文書蓄積手段とを有する画像形成装置であって、ネットワークを介して接続された一の装置から他の装置の文書管理サービスの使用権限を証明する第１の証明情報および前記蓄積文書の使用権限を証明する第２の証明情報を受信し、前記第１および第２の証明情報を利用した蓄積文書取得要求を前記他の装置に送信する一方、前記他の装置の文書管理サービスから前記第２の証明情報に応じた蓄積文書を受信し、前記蓄積文書を出力する文書出力サービスを有することを特徴とする。
【００１４】
また、本発明は、画像形成処理で使用されるハードウェア資源と、画像形成に係る処理を行うプログラムと、蓄積文書を蓄積する文書蓄積手段とを有する画像形成装置であって、ネットワークを介して接続された一の装置から前記文書蓄積手段に蓄積された蓄積文書に対する証明情報取得要求を受信し、文書管理サービスの使用権限を証明する第１の証明情報および前記証明情報取得要求に応じた蓄積文書の使用権限を証明する第２の証明情報を前記一の装置に送信する一方、ネットワークを介して接続された他の装置から前記第２の証明情報と前記文書管理サービスの使用権限を証明する第３の証明情報とを利用した蓄積文書取得要求を受信し、前記第２の証明情報に応じた蓄積文書を前記文書蓄積手段から取得して前記他の装置に送信する文書管理サービスを有することを特徴とする。
【００１５】
また、本発明は、画像形成処理で使用されるハードウェア資源と、画像形成に係る処理を行うプログラムと、蓄積文書を蓄積する文書蓄積手段とを有する画像形成装置であって、ネットワークを介して接続された一の装置から文書出力サービスの使用権限を証明する第１の証明情報および前記蓄積文書の使用権限を証明する第２の証明情報を受信し、前記第２の証明情報と他の装置の文書管理サービスの使用権限を証明する第３の証明情報とを利用した蓄積文書取得要求を前記他の装置に送信する一方、前記他の装置の文書管理サービスから前記第２の証明情報に応じた蓄積文書を受信し、前記蓄積文書を出力する文書出力サービスを有することを特徴とする。なお、本発明は、蓄積文書出力方法および蓄積文書出力システムとしても実現が可能である。
【００１６】
本発明によれば、文書管理サービスが文書蓄積手段に蓄積された蓄積文書に対する証明情報を他の装置に送信し、他の装置の文書出力サービスが蓄積文書の識別情報を用いて蓄積文書の出力を行うことにより、蓄積文書に対する認証機能を共有することができる。
【００１７】
また、証明情報を用いることで、複数の画像形成装置間で無駄に蓄積文書を転送させる必要がなくなるため、ネットワークおよび融合機のリソースを浪費することなく蓄積文書の出力が可能となる。
【００１８】
【発明の実施の形態】
次に、本発明の実施の形態について図面に基づいて説明する。
【００１９】
図１は、本発明による融合機の一実施例の構成図を示す。融合機１は、ソフトウェア群２と，融合機起動部３と，ハードウェア資源４とを含むように構成される。
【００２０】
融合機起動部３は融合機１の電源投入時に最初に実行され、アプリケーション層５およびプラットフォーム６を起動する。例えば融合機起動部３は、アプリケーション層５およびプラットフォーム６のプログラムをハードディスク装置（以下、ＨＤＤという）などから読み出し、読み出した各プログラムをメモリ領域に転送して起動する。ハードウェア資源４は、プロッタ１１と，スキャナ１２と，ファクシミリなどのその他のハードウェアリソース１３とを含む。
【００２１】
また、ソフトウェア群２は、ＵＮＩＸ（登録商標）などのオペレーティングシステム（以下、ＯＳという）上に起動されているアプリケーション層５とプラットフォーム６とを含む。アプリケーション層５は、プリンタ，コピー，ファックスおよびスキャナなどの画像形成にかかるユーザサービスにそれぞれ固有の処理を行うプログラムを含む。
【００２２】
アプリケーション層５は、プリンタ用のアプリケーションであるプリンタアプリ２１と，コピー用アプリケーションであるコピーアプリ２２と，ファックス用アプリケーションであるファックスアプリ２３と，スキャナ用アプリケーションであるスキャナアプリ２４と，ＷＥＢページ用アプリケーションであるＷＥＢページアプリ２５と，シンプル・オブジェクト・アクセス・プロトコル（以下、ＳＯＡＰという）通信用アプリケーションであるＳＯＡＰ通信アプリ２６と，１つ以上の共有ファンクション（以下、ＳＦという）２８からなる共有ファンクション層７と，ＷＥＢページアプリ２５及びＳＯＡＰ通信アプリ２６とＳＦ２８との間に設けられたＷＥＢサービスファンクション（以下、ＷＳＦという）２７からなるラッピング層８とを含む。
【００２３】
ＷＳＦ２７は、予め定義されている関数によりＷＥＢページアプリ２５およびＳＯＡＰ通信アプリ２６からの処理要求を受信可能とするアプリケーションプログラムインターフェース（以下、ＡＰＩという）５１を有する。また、ＳＦ２８は予め定義されている関数によりＷＳＦ２７からの処理要求を受信可能とするＡＰＩ５２を有する。
【００２４】
ＷＳＦ２７はＡＰＩ５１を介してＷＥＢページアプリ２５およびＳＯＡＰ通信アプリ２６からの処理要求を受信すると、その処理要求に応じてＳＦ２８を選択する。ＷＳＦ２７はＡＰＩ５１を介して受信した処理要求を、その処理要求に応じて選択したＳＦ２８にＡＰＩ５２を介して送信する。ＳＦ２８はＡＰＩ５２を介して処理要求を受信すると、その処理要求に応じた処理を行う。
【００２５】
例えば図１の融合機１は２つのＳＦ２８を含んでいるが、一方のＳＦ２８が後述する文書管理サービス１３２ａ，１３２ｂの処理を行い、他方のＳＦ２８が後述する文書出力サービス１３３ａ，１３３ｂの処理を行う。
【００２６】
また、プラットフォーム６は、アプリケーション層５からの処理要求を解釈してハードウェア資源４の獲得要求を発生するコントロールサービス層９と、１つ以上のハードウェア資源４の管理を行ってコントロールサービス層９からの獲得要求を調停するシステムリソースマネージャ（以下、ＳＲＭという）３９と、ＳＲＭ３９からの獲得要求に応じてハードウェア資源４の管理を行うハンドラ層１０とを含む。
【００２７】
コントロールサービス層９は、ネットワークコントロールサービス（以下、ＮＣＳという）３１，デリバリーコントロールサービス（以下、ＤＣＳという）３２，オペレーションパネルコントロールサービス（以下、ＯＣＳという）３３，ファックスコントロールサービス（以下、ＦＣＳという）３４，エンジンコントロールサービス（以下、ＥＣＳという）３５，メモリコントロールサービス（以下、ＭＣＳという）３６，ユーザインフォメーションコントロールサービス（以下、ＵＣＳという）３７，システムコントロールサービス（以下、ＳＣＳという）３８など、一つ以上のサービスモジュールを含むように構成されている。
【００２８】
なお、プラットフォーム６は予め定義されている関数により、アプリケーション層５からの処理要求を受信可能とするＡＰＩ５３を有するように構成されている。ＯＳは、アプリケーション層５およびプラットフォーム６の各ソフトウェアをプロセスとして並列実行する。
【００２９】
ＮＣＳ３１のプロセスは、ネットワークＩ／Ｏを必要とするアプリケーションに対して共通に利用できるサービスを提供するものであり、ネットワーク側から各プロトコルによって受信したデータを各アプリケーションに振り分けたり、各アプリケーションからのデータをネットワーク側に送信する際の仲介を行う。
【００３０】
例えばＮＣＳ３１は、ネットワークを介して接続されるネットワーク機器とのデータ通信をｈｔｔｐｄ（ＨｙｐｅｒＴｅｘｔ  Ｔｒａｎｓｆｅｒ  Ｐｒｏｔｏｃｏｌ  Ｄａｅｍｏｎ）により、ＨＴＴＰ（ＨｙｐｅｒＴｅｘｔ  Ｔｒａｎｓｆｅｒ  Ｐｒｏｔｏｃｏｌ）で制御する。
【００３１】
ＤＣＳ３２のプロセスは、蓄積文書の配送などの制御を行う。ＯＣＳ３３のプロセスは、オペレータと本体制御との間の情報伝達手段となるオペレーションパネルの制御を行う。ＦＣＳ３４のプロセスは、アプリケーション層５からＰＳＴＮまたはＩＳＤＮ網を利用したファックス送受信，バックアップ用のメモリで管理されている各種ファックスデータの登録／引用，ファックス読み取り，ファックス受信印刷などを行うためのＡＰＩを提供する。
【００３２】
ＥＣＳ３５のプロセスは、プロッタ１１，スキャナ１２，その他のハードウェアリソース１３などのエンジン部の制御を行う。ＭＣＳ３６のプロセスは、メモリの取得および解放，ＨＤＤの利用，画像データの圧縮および伸張などのメモリ制御を行う。ＵＣＳ３７のプロセスは、ユーザ情報の管理を行うものである。
【００３３】
ＳＣＳ３８のプロセスは、アプリケーション管理，操作部制御，システム画面表示，ＬＥＤ表示，ハードウェア資源管理，割り込みアプリケーション制御などの処理を行う。
【００３４】
ＳＲＭ３９のプロセスは、ＳＣＳ３８と共にシステムの制御およびハードウェア資源４の管理を行うものである。例えばＳＲＭ３９のプロセスは、プロッタ１１やスキャナ１２などのその他のハードウェア資源４を利用する上位層からの獲得要求に従って調停を行い、実行制御する。
【００３５】
具体的に、ＳＲＭ３９のプロセスは獲得要求されたハードウェア資源４が利用可能であるか（他の獲得要求により利用されていないかどうか）を判定し、利用可能であれば獲得要求されたハードウェア資源４が利用可能である旨を上位層に通知する。また、ＳＲＭ３９のプロセスは上位層からの獲得要求に対してハードウェア資源４を利用するためのスケジューリングを行い、要求内容（例えば、プリンタエンジンによる紙搬送と作像動作，メモリ確保，ファイル生成など）を直接実施している。
【００３６】
また、ハンドラ層１０は後述するファックスコントロールユニット（以下、ＦＣＵという）の管理を行うファックスコントロールユニットハンドラ（以下、ＦＣＵＨという）４０と、プロセスに対するメモリの割り振り及びプロセスに割り振ったメモリの管理を行うイメージメモリハンドラ（以下、ＩＭＨという）４１とを含む。ＳＲＭ３９およびＦＣＵＨ４０は、予め定義されている関数によりハードウェア資源４に対する処理要求を送信可能とするエンジンＩ／Ｆ５４を利用して、ハードウェア資源４に対する処理要求を行う。
【００３７】
融合機１は、各アプリケーションで共通的に必要な処理をプラットフォーム６で一元的に処理することができる。次に、融合機１のハードウェア構成について説明する。
【００３８】
図２は、本発明による融合機の一実施例のハードウェア構成図を示す。図２の融合機１は、コントローラ６０，オペレーションパネル８０，ＦＣＵ８１，エンジン部８２を有する。
【００３９】
コントローラ６０は、ＣＰＵ６１，システムメモリ６２，ノースブリッジ（ＮＢ）６３，サウスブリッジ（ＳＢ）６４，ＡＳＩＣ６６，ローカルメモリ６７，ＨＤＤ６８、ネットワークインターフェースカード（ＮＩＣ）６９，ＵＳＢデバイス７０，ＩＥＥＥ１３９４デバイス７１，セントロニクス７２を有する。
【００４０】
オペレーションパネル８０は、コントローラ６０のＡＳＩＣ６６に接続されている。また、ＦＣＵ８１およびエンジン部８２は、コントローラ６０のＡＳＩＣ６６にＰＣＩバス８３で接続されている。
【００４１】
コントローラ６０は、ＡＳＩＣ６６にローカルメモリ６７，ＨＤＤ６８などが接続されると共に、ＣＰＵ６１とＡＳＩＣ６６とがＣＰＵチップセットのＮＢ６３を介して接続されている。コントローラ６０は、ＮＢ６３を介してＣＰＵ６１とＡＳＩＣ６６とを接続することにより、ＣＰＵ６１のインターフェースが公開されていない場合に対応する。なお、ＡＳＩＣ６６とＮＢ６３とはＡＧＰ（Ａｃｃｅｌｅｒａｔｅｄ  Ｇｒａｐｈｉｃｓ  Ｐｏｒｔ  ）６５を介して接続されている。
【００４２】
このように、図１のアプリケーション５やプラットフォーム６を形成する一つ以上のプロセスを実行制御するため、ＡＳＩＣ６６とＮＢ６３とを低速のＰＣＩバスでなくＡＧＰ６５を介して接続することで、パフォーマンスの低下を防いでいる。
【００４３】
ＣＰＵ６１は、融合機１の全体制御を行うものである。ＣＰＵ６１は、ＮＣＳ３１，ＤＣＳ３２，ＯＣＳ３３，ＦＣＳ３４，ＥＣＳ３５，ＭＣＳ３６，ＵＣＳ３７，ＳＣＳ３８をＯＳ上に起動して実行させると共に、アプリケーション５を形成するプリンタアプリ２１，コピーアプリ２２，ファックスアプリ２３，スキャナアプリ２４，ＷＥＢページアプリ２５，ＳＯＡＰ通信アプリ２６，ＷＳＦ２７，ＳＦ２８を起動して実行させる。
【００４４】
ＮＢ６３は、ＣＰＵ６１，システムメモリ６２，ＳＢ６４，ＡＳＩＣ６６，ＮＩＣ６９，ＵＳＢデバイス７０，ＩＥＥＥ１３９４デバイス７１およびセントロニクス７２を接続するためのブリッジである。
【００４５】
ＳＢ６４，ＮＩＣ６９，ＵＳＢデバイス７０，ＩＥＥＥ１３９４デバイス７１１およびセントロニクス７２は、ＰＣＩバス７３を介してＮＢ６３に接続されている。なお、ＳＢ６４は、ＰＣＩバス７３とＲＯＭや周辺デバイス等とを接続するためのブリッジである。
【００４６】
システムメモリ６２は、融合機１の描画用メモリなどとして用いるメモリである。ローカルメモリ６７はコピー用画像バッファ，符号バッファとして用いるメモリである。
【００４７】
ＡＳＩＣ６６は、画像処理用のハードウェア要素を有する画像処理用途向けのＩＣである。ＨＤＤ６８は、画像データの蓄積，文書データの蓄積，プログラムの蓄積，フォントデータの蓄積，フォームの蓄積などを行うストレージ（補助記憶装置）の一例である。
【００４８】
ＮＩＣ６９は、融合機１をネットワークに接続するインターフェース機器である。ＵＳＢデバイス７０，ＩＥＥＥ１３９４デバイス７１およびセントロニクス７２は、夫々の規格に準じたインターフェースである。
【００４９】
また、オペレーションパネル８０は、オペレータからの入力操作を受け付けると共に、オペレータに向けた表示を行う操作部である。なお、ＦＣＵ８１はバックアップ用のメモリを有している。ＦＣＵ８１が有するメモリは、例えば融合機１の電源がＯＦＦのときに受信したファクシミリデータを一時的に格納するために利用される。
【００５０】
以下、融合機１により実現される蓄積文書出力方法について図面を参照しつつ順次説明していく。図３は、本発明による第１実施例の蓄積文書出力方法について説明するための融合機の機能構成図を示す。なお、図３の機能構成図は説明に必要のない機能構成を省略している。
【００５１】
本発明の蓄積文書出力方法は融合機１ａ，１ｂにインターネットなどのネットワークを介して接続されるネットワーク機器１２０が、融合機１ａに蓄積されている文書ファイル（以下、蓄積文書という）を融合機１ｂに出力（例えば、印刷など）させるためのものである。なお、ネットワーク機器１２０は、融合機１ａ及び１ｂ以外の他の融合機であってもよい。
【００５２】
また、ネットワーク機器１００は、データ・アクセス・プロトコルとしてＳＯＡＰ（Ｓｉｍｐｌｅ  Ｏｂｊｅｃｔ  Ａｃｃｅｓｓ  Ｐｒｏｔｏｃｏｌ）と呼ばれる通信プロトコル規格を利用し、融合機１ａの文書管理サービス１３２ａおよび融合機１ｂの文書出力サービス１３３ｂとＸＭＬ（ｅＸｔｅｎｓｉｂｌｅ  Ｍａｒｋｕｐ  Ｌａｎｇｕａｇｅ）形式でデータ交換を行う。
【００５３】
まず、ネットワーク機器１２０は融合機１ａに蓄積されている蓄積文書のリストおよび文書ＩＤを融合機１ａなどから入手しているものとする。ネットワーク機器１２０を操作するユーザは画面上に表示されている蓄積文書のリストから出力を所望する蓄積文書を選択すると共に、蓄積文書の出力にパスワードの入力が必要であればパスワードを入力する。
【００５４】
ステップＳ１１では、ネットワーク機器１２０が、ユーザにより選択された蓄積文書の文書ＩＤおよびパスワードを、ＮＣＳ３１ａのｈｔｔｐｄ１３１ａを介して融合機１ａの文書管理サービス１３２ａに送信することで蓄積文書の利用チケット（以下、単にチケットという）１３４の取得要求を行う。チケット取得要求は、ＳＯＡＰおよびＸＭＬを利用して行われる。
【００５５】
ステップＳ１１に続いてステップＳ１２に進み、文書管理サービス１３２ａはネットワーク機器１２０から受信した蓄積文書の文書ＩＤおよびパスワードをＭＣＳ３６ａに送信し、パスワードの認証要求を行う。パスワード認証要求は、例えば文書ＩＤおよびパスワードを引数としたパスワード認証要求関数「ｉｎｔ  ｍｃｓＣｈｅｃｋＰａｓｓｗｏｒｄ（ｕｎｓｉｇｎｅｄＩｎｔ  ＤｏｃＩｄ，  ｓｔｒｉｎｇ  ｐａｓｓｗｏｒｄ）」を用いて行う。ＭＣＳ３６ａは、文書管理サービス１３２ａから受信した文書ＩＤおよびパスワードを用いてパスワード認証を行う。
【００５６】
ステップＳ１２に続いてステップＳ１３に進み、ＭＣＳ３６ａはパスワード認証の結果を文書管理サービス１３２ａに送信する。パスワード認証の結果は、例えばパスワード認証要求関数の返り値としてＭＣＳ３６ａから文書管理サービス１３２ａに送信される。
【００５７】
文書ＩＤのパスワード認証が正常に終了すると、文書管理サービス１３２ａは図４に表すようなチケットを生成する。図４は、チケットについて説明するための説明図を示す。図４（Ａ）はネットワーク機器１２０，融合機１ａの文書管理サービス１３２ａおよび融合機１ｂの文書出力サービス１３３ｂの間で転送されるチケット１３４の構造体である。チケット１３４は、チケットＩＤ，チケットのデータサイズが格納されている。
【００５８】
また、図４（Ｂ）はチケット１３４を照合するための表１３５ａである。表１３５ａは文書管理サービス１３２ａにより保持される。表１３５ａは、チケット内容情報およびチケット管理情報を含む。図４（Ｂ）のチケット内容情報は、チケットＩＤ，チケットの有効期限，ファイル数，文書ＩＤとしてのファイルＩＤとパスワードとが組になった構造体の配列を情報として有している。また、チケット管理情報はカレントのチケット番号，発行チケット数を情報として有している。なお、チケット１３４と表１３５ａとはチケットＩＤにより関連付けられている。
【００５９】
ステップＳ１４では、文書管理サービス１３２ａが、生成したチケット１３４をＮＣＳ３１ａのｈｔｔｐｄ１３１ａを介してネットワーク機器１２０に送信する。文書管理サービス１３２ａからネットワーク機器１２０へのチケット１３４の送信は、ＳＯＡＰおよびＸＭＬを利用して行われる。
【００６０】
ステップＳ１５では、ネットワーク機器１２０が、ステップＳ１４で受信したチケット１３４をＮＣＳ３１ｂのｈｔｔｐｄ１３１ｂを介して融合機１ｂの文書出力サービス１３３ｂに送信し、蓄積文書の出力要求を行う。蓄積文書の出力要求は、ＳＯＡＰおよびＸＭＬを利用して行われる。
【００６１】
ステップＳ１６では、文書出力サービス１３３ｂが、ステップＳ１５で受信したチケット１３４をＮＣＳ３１ｂおよびＮＣＳ３１ａのｈｔｔｐｄ１３１ａを介して融合機１ａの文書管理サービス１３２ａに送信し、そのチケット１３４に対応する文書の取得要求を行う。
【００６２】
なお、融合機１ｂの文書出力サービス１３３ｂは、データ・アクセス・プロトコルとしてＳＯＡＰと呼ばれる通信プロトコル規格を利用し、融合機１ａの文書管理サービス１３２ａとＸＭＬ形式でデータ交換を行う。
【００６３】
ステップＳ１７では、文書管理サービス１３２ａが、受信したチケット１３４に含まれるチケットＩＤに応じて表１３５ａから文書ＩＤを取得し、その文書ＩＤに対応する蓄積文書を文書管理ＤＢから読み出す。文書管理サービス１３２ａは、読み出した蓄積文書をＮＣＳ３１ａのｈｔｔｐｄ１３１ａおよびＮＣＳ３１ｂを介して融合機１ｂの文書出力サービス１３３ｂに送信する。
【００６４】
ステップＳ１８では、文書出力サービス１３３ｂが、ステップＳ１７で受信した蓄積文書をＤＣＳ３２ｂ，ＦＣＳ３４ｂまたはＥＣＳ３５ｂに送信し、その蓄積文書の出力処理を行う。一例として、文書出力サービス１３３ｂおよびＥＣＳ３５ｂが行う蓄積文書印刷処理について図５を参照しつつ説明する。
【００６５】
図５は、文書出力サービスおよびＥＣＳが行う蓄積文書印刷処理の一例のイベントフロー図を示す。ステップＳ１００では、文書出力サービス１３３ｂが関数を用いてＥＣＳ３５ｂにジョブオープンを要求する。ステップＳ１００に続いてステップＳ１０１に進み、ＥＣＳ３５ｂは関数の返り値としてジョブＩＤを文書出力サービス１３３ｂに送信する。
【００６６】
ステップＳ１０１に続いてステップＳ１０２に進み、文書出力サービス１３３ｂは関数を用いてＥＣＳ３５ｂにジョブ動作モードの設定を要求する。ステップＳ１０２に続いてステップＳ１０３に進み、ＥＣＳｂ３５は関数の返り値としてジョブ動作モードの設定の成功または失敗を文書出力サービス１３３ｂに送信する。ここでは、ＥＣＳ３５ｂが関数の返り値としてジョブ動作モードの設定の成功を文書出力サービス１３３ｂに送信する例を説明する。
【００６７】
ステップＳ１０３に続いてステップＳ１０４に進み、ＥＣＳ３５ｂはイベントで実行が可能であることを表す実行可否通知を文書出力サービス１３３ｂに送信する。実行が可能であることを表す実行可否通知を受信すると、文書出力サービス１３３ｂはステップＳ１０４に続いてステップＳ１０５に進み、関数を用いてＥＣＳ３５ｂにジョブエントリを要求する。
【００６８】
なお、実行が可能でないことを表す実行可否通知を受信すると、文書出力サービス１３３ｂはステップＳ１０５に進まずに処理を終了する。ステップＳ１０５に続いてステップＳ１０６に進み、ＥＣＳ３５ｂは関数の返り値としてジョブエントリの成功または失敗を文書出力サービス１３３ｂに送信する。ここでは、ＥＣＳ３５ｂが関数の返り値としてジョブエントリの成功を文書出力サービス１３３ｂに送信する例を説明する。
【００６９】
ステップＳ１０６に続いてステップＳ１０７に進み、ＥＣＳ３５ｂはイベントで実行が可能であることを表す実行可否通知を文書出力サービス１３３ｂに送信する。行が可能であることを表す実行可否通知を受信すると、文書出力サービス１３３ｂはステップＳ１０７に続いてステップＳ１０８に進み、関数を用いてＥＣＳ３５ｂにジョブ開始を要求する。
【００７０】
なお、実行が可能でないことを表す実行可否通知を受信すると、文書出力サービス１３３ｂはステップＳ１０８に進まずに処理を終了する。ステップＳ１０８に続いてステップＳ１０９に進み、ＥＣＳ３５ｂはイベントでジョブ終了通知および終了したジョブのジョブＩＤを文書出力サービス１３３ｂに送信する。ステップＳ１０９に続いてステップＳ１１０に進み、文書出力サービス１３３ｂが関数を用いてＥＣＳ３５ｂにジョブクローズを要求する。例えば図５のようなイベントフローにより、文書出力サービス１３３ｂはステップＳ１７で受信した蓄積文書の出力処理を行うことができる。
【００７１】
ステップＳ１８に続いてステップＳ１９に進み、文書出力サービス１３３ｂは出力処理の結果を、ＮＣＳ３１ｂのｈｔｔｐｄ１３１ｂを介してネットワーク機器１２０に送信する。ネットワーク機器１２０は融合機１ｂから受信した出力処理の結果を画面上に表示する。
【００７２】
したがって、ユーザはネットワーク機器１２０を操作することにより、融合機１ａの文書管理サービス１３２ａを利用して、融合機１ａに蓄積されている蓄積文書を融合機１ｂで容易に出力することが可能である。
【００７３】
また、図３の蓄積文書出力システムではチケット１３４を利用することで蓄積文書のデータ自体を融合機１ａ，１ｂ間で無駄に転送することがなくなり、ネットワーク資源および融合機１ａ，１ｂのハードウェア資源４の浪費を防ぐことができる。さらに、図３の蓄積文書出力システムではチケット１３４を利用することで、文書出力サービス１３３ｂにパスワードを知らせることなく認証済みの蓄積文書の出力が可能である。
【００７４】
図６は、本発明による第２実施例の蓄積文書出力方法について説明するための融合機の機能構成図を示す。なお、図６の機能構成図は説明に必要のない機能構成を省略している。
【００７５】
まず、ネットワーク機器１２０は融合機１ａの文書管理サービス１３２ａにセッション開始要求を行い、文書管理サービス１３２ａとの間にセッションを確立してステップＳ２１に進む。なお、以下の説明ではネットワーク機器１２０と文書管理サービス１３２ａとの間に確立したセッションを文書管理サービスのセッションと呼び、その文書管理サービスのセッションを識別するためのセッションＩＤを文書管理サービスのセッションＩＤと呼ぶ。
【００７６】
ステップＳ２１では、ネットワーク機器１２０が、ユーザにより選択された蓄積文書の文書ＩＤおよびパスワードを、ＮＣＳ３１ａのｈｔｔｐｄ１３１ａを介して融合機１ａの文書管理サービス１３２ａに送信することでチケット１４０の取得要求を行う。
【００７７】
ステップＳ２１に続いてステップＳ２２に進み、文書管理サービス１３２ａはネットワーク機器１２０から受信した蓄積文書の文書ＩＤおよびパスワードをＭＣＳ３６ａに送信し、パスワードの認証要求を行う。ＭＣＳ３６ａは、文書管理サービス１３２ａから受信した文書ＩＤおよびパスワードを用いてパスワード認証を行う。
【００７８】
ステップＳ２２に続いてステップＳ２３に進み、ＭＣＳ３６ａはパスワード認証の結果を文書管理サービス１３２ａに送信する。文書ＩＤのパスワード認証が正常に終了すると、文書管理サービス１３２ａは図４に表すようなチケット１４０を生成する。
【００７９】
ステップＳ２４では、文書管理サービス１３２ａが、生成したチケット１４０および文書管理サービスのセッションＩＤ１４１を、ＮＣＳ３１ａのｈｔｔｐｄ１３１ａを介してネットワーク機器１２０に送信する。
【００８０】
ステップＳ２５では、ネットワーク機器１２０が、ステップＳ２４で受信したチケット１４０および文書管理サービスのセッションＩＤ１４１を、ＮＣＳ３１ｂのｈｔｔｐｄ１３１ｂを介して融合機１ｂの文書出力サービス１３３ｂに送信し、蓄積文書の出力要求を行う。
【００８１】
ステップＳ２６では、文書出力サービス１３３ｂが、ステップＳ２５で受信したチケット１４０および文書管理サービスのセッションＩＤ１４１を、ＮＣＳ３１ｂおよびＮＣＳ３１ａのｈｔｔｐｄ１３１ａを介して融合機１ａの文書管理サービス１３２ａに送信し、そのチケット１４０に対応する蓄積文書の取得要求を行う。
【００８２】
ステップＳ２７では、文書管理サービス１３２ａが、受信したチケット１４０に含まれるチケットＩＤに応じて表１３５ａから文書ＩＤを取得し、その文書ＩＤに対応する蓄積文書を文書管理ＤＢから読み出す。文書管理サービス１３２ａは、読み出した蓄積文書をＮＣＳ３１ａのｈｔｔｐｄ１３１ａおよびＮＣＳ３１ｂを介して融合機１ｂの文書出力サービス１３３ｂに送信する。
【００８３】
なお、融合機１ｂの文書出力サービス１３３ｂが融合機１ａの文書管理サービス１３２ａから蓄積文書を取得した後のステップＳ２８〜Ｓ２９の処理は図３のステップＳ１８〜Ｓ１９の処理と同様であるため、説明を省略する。
【００８４】
したがって、ユーザはネットワーク機器１２０を操作することにより、融合機１ａの文書管理サービス１３２ａを利用して、融合機１ａに蓄積されている蓄積文書を融合機１ｂで容易に出力することが可能である。
【００８５】
また、図６の蓄積文書出力システムではチケット１４０および文書管理サービスのセッションＩＤ１４１を利用することで、蓄積文書のデータ自体を融合機１ａ，１ｂ間で無駄に転送することがなくなり、ネットワーク資源および融合機１ａ，１ｂのハードウェア資源４の浪費を防ぐことができる。また、図６の蓄積文書出力システムではチケット１４０および文書管理サービスのセッションＩＤ１４１を利用することで、文書出力サービス１３３ｂにパスワードを知らせることなく認証済みの蓄積文書の出力が可能である。さらに、図６の蓄積文書出力システムでは文書管理サービスのセッションＩＤ１４１を利用することで、セキュリティの強化が可能である。
【００８６】
図７は、本発明による第３実施例の蓄積文書出力方法について説明するための融合機の機能構成図を示す。なお、図７の機能構成図は説明に必要のない機能構成を省略している。
【００８７】
まず、ネットワーク機器１２０は融合機１ａの文書管理サービス１３２ａにセッション開始要求を行い、文書管理サービス１３２ａとの間にセッションを確立してステップＳ３１に進む。
【００８８】
なお、以下の説明ではネットワーク機器１２０と文書管理サービス１３２ａとの間に確立したセッションを文書管理サービスのセッション▲１▼と呼び、その文書管理サービスのセッション▲１▼を識別するためのセッションＩＤを文書管理サービスのセッションＩＤ▲１▼と呼ぶ。また、図７のステップＳ３１〜Ｓ３４の処理は図６のステップＳ２１〜Ｓ２４の処理と同様であるため、説明を省略する。
【００８９】
ステップＳ３４でチケット１４０および文書管理サービスのセッションＩＤ▲１▼１４１を受信すると、ネットワーク機器１２０は融合機１ｂの文書出力サービス１３３ｂにセッション開始要求を行い、文書出力サービス１３３ｂとの間にセッションを確立してステップＳ３５に進む。
【００９０】
なお、以下の説明ではネットワーク機器１２０と文書出力サービス１３３ｂとの間に確立したセッションを文書出力サービスのセッションと呼び、その文書出力サービスのセッションを識別するためのセッションＩＤを文書出力サービスのセッションＩＤと呼ぶ。
【００９１】
ステップＳ３５では、ネットワーク機器１２０が、ステップＳ３４で受信したチケット１４０および文書出力サービスのセッションＩＤ１４３を、ＮＣＳ３１ｂのｈｔｔｐｄ１３１ｂを介して融合機１ｂの文書出力サービス１３３ｂに送信し、蓄積文書の出力要求を行う。
【００９２】
ステップＳ３５でチケット１４０および文書出力サービスのセッションＩＤ１４３を受信すると、文書出力サービス１３３ｂは融合機１ａの文書管理サービス１３２ａにセッション開始要求を行い、文書管理サービス１３２ａとの間にセッションを確立してステップＳ３６に進む。
【００９３】
なお、以下の説明では文書出力サービス１３３ｂと文書管理サービス１３２ａとの間に確立したセッションを文書管理サービスのセッション▲２▼と呼び、その文書管理サービスのセッション▲２▼を識別するためのセッションＩＤを文書管理サービスのセッションＩＤ▲２▼と呼ぶ。
【００９４】
ステップＳ３６では、文書出力サービス１３３ｂが、ステップＳ３５で受信したチケット１４０および文書管理サービスのセッションＩＤ▲２▼１４４を、ＮＣＳ３１ｂおよびＮＣＳ３１ａのｈｔｔｐｄ１３１ａを介して融合機１ａの文書管理サービス１３２ａに送信し、そのチケット１４０に対応する蓄積文書の取得要求を行う。
【００９５】
ステップＳ３７では、文書管理サービス１３２ａが、受信したチケット１４０に含まれるチケットＩＤに応じて表１３５ａから文書ＩＤを取得し、その文書ＩＤに対応する蓄積文書を文書管理ＤＢから読み出す。文書管理サービス１３２ａは、読み出した蓄積文書をＮＣＳ３１ａのｈｔｔｐｄ１３１ａおよびＮＣＳ３１ｂを介して融合機１ｂの文書出力サービス１３３ｂに送信する。
【００９６】
なお、融合機１ｂの文書出力サービス１３３ｂが融合機１ａの文書管理サービス１３２ａから蓄積文書を取得した後のステップＳ３８〜Ｓ３９の処理は図３のステップＳ１８〜Ｓ１９の処理と同様であるため、説明を省略する。
【００９７】
したがって、ユーザはネットワーク機器１２０を操作することにより、融合機１ａの文書管理サービス１３２ａを利用して、融合機１ａに蓄積されている蓄積文書を融合機１ｂで容易に出力することが可能である。
【００９８】
また、図７の蓄積文書出力システムではチケット１４０および文書管理サービスのセッションＩＤ▲１▼１４１，文書出力サービスのセッションＩＤ１４３，文書管理サービスのセッションＩＤ▲２▼１４４を利用することで、ネットワーク資源および融合機１ａ，１ｂのハードウェア資源４の浪費を防ぐことができる。
【００９９】
また、図７の蓄積文書出力システムでは融合機１ｂの文書出力サービス１３３ｂにパスワードを知らせることなく認証済みの蓄積文書の出力が可能である。さらに、図７の蓄積文書出力システムでは文書管理サービスのセッションＩＤ▲１▼１４１，文書出力サービスのセッションＩＤ１４３，文書管理サービスのセッションＩＤ▲２▼１４４を利用することで、セキュリティの強化が可能である。
【０１００】
上記の実施例１〜３では、融合機１ａ，１ｂにネットワークを介して接続されるネットワーク機器１２０が、融合機１ａに蓄積されている蓄積文書を融合機１ｂに出力させる例について説明したが、ネットワーク機器１２０を融合機１ａ及び１ｂ以外の他の融合機１ｃとしてもよい。
【０１０１】
そこで、ネットワーク機器１２０が、融合機１ａ及び１ｂ以外の融合機１ｃである例について説明する。まず、融合機１ｃはネットワークを介して接続されている他の融合機のリストを入手する。例えば他の融合機のリストには、融合機のＩＰアドレス，名称などが含まれる。
【０１０２】
ユーザからの指示があると、融合機１ｃはネットワークを介して接続されている他の融合機のリストが表示された画面１５０をオペレーションパネル８０に表示する。図８は、オペレーションパネルに表示される画面の一例のイメージ図である。
【０１０３】
ここでは、ユーザが融合機１ａに蓄積されている蓄積文書を融合機１ｂに印刷させる例を説明する。ユーザは印刷したい蓄積文書を蓄積している融合機１ａを画面１５０のリストから選択し、「次へ」ボタン１５１を押下する。
【０１０４】
蓄積文書の印刷にユーザ名およびパスワードの入力が必要であれば、融合機１ｃはユーザ名およびパスワードを入力するための画面１６０をオペレーションパネル８０に表示する。ユーザはユーザ名およびパスワードを画面１６０に入力して「次へ」ボタン１６１を押下する。
【０１０５】
「次へ」ボタン１６１が押下されると、融合機１ｃは画面１６０に入力されたユーザ名およびパスワードを利用してユーザ認証を行い、そのユーザが印刷できる蓄積文書のリストを画面１７０に表示する。ユーザが画面１７０に表示されている蓄積文書のリストから印刷を所望する蓄積文書を選択して「印刷」ボタン１７１を押下すると、融合機１ｃは前述したステップＳ１１，Ｓ２１またはＳ３１の何れかに進む。なお、「削除」ボタン１７２は、印刷を所望する蓄積文書として蓄積文書のリストから選択した蓄積文書を削除するためのものである。
【０１０６】
したがって、ユーザは融合機１ｃを操作することにより、ネットワークを介して融合機１ｃに接続されている融合機１ａ，１ｂを利用して、融合機１ａに蓄積されている蓄積文書を融合機１ｂで容易に印刷することが可能である。なお、融合機１ａに蓄積されている蓄積文書を融合機１ｃで印刷してもよい。
【０１０７】
本実施例では、蓄積文書利用認証情報の一例としてチケット１３４および１４０を利用して説明したが、蓄積文書の使用権限を証明する如何なる情報であってもよい。また、本実施例では文書管理サービス利用認証情報の一例として文書管理サービスのセッションＩＤ１４１を利用して説明したが、文書管理サービス１３２ａの使用権限を証明する如何なる情報であってもよい。
【０１０８】
本発明は上記の実施例に限定されるものではなく、本発明の範囲内で種々の変形や変更が可能である。
【０１０９】
【発明の効果】
上述の如く、本発明によれば、蓄積文書に対する認証機能を共有することができる。また、証明情報を用いることで、複数の画像形成装置間で無駄に蓄積文書を転送させる必要がなくなるため、ネットワークおよび融合機のリソースを浪費することなく蓄積文書の出力が可能となる。
【０１１０】
【図面の簡単な説明】
【図１】本発明による融合機の一実施例の構成図である。
【図２】本発明による融合機の一実施例のハードウェア構成図である。
【図３】本発明による第１実施例の蓄積文書出力方法について説明するための融合機の機能構成図である。
【図４】チケットについて説明するための説明図である。
【図５】文書出力サービスおよびＥＣＳが行う蓄積文書印刷処理の一例のイベントフロー図である。
【図６】本発明による第２実施例の蓄積文書出力方法について説明するための融合機の機能構成図である。
【図７】本発明による第３実施例の蓄積文書出力方法について説明するための融合機の機能構成図を示す。
【図８】オペレーションパネルに表示される画面の一例のイメージ図である。
【符号の説明】
１，１ａ，１ｂ    融合機
２    ソフトウェア群
３    融合機起動部
４    ハードウェア資源
５    アプリケーション層
６    プラットフォーム
９    コントロールサービス層
１０    ハンドラ層
３１，３１ａ，３１ｂ    ネットワークコントロールサービス（ＮＣＳ）
３２    デリバリーコントロールサービス（ＤＣＳ）
３３，３３ａ，３３ｂ    オペレーションパネルコントロールサービス（ＯＣＳ）
３５，３５ａ，３５ｂ    エンジンコントロールサービス（ＥＣＳ）
３６，３６ａ，３６ｂ    メモリコントロールサービス（ＭＣＳ）
３７    ユーザインフォメーションコントロールサービス（ＵＣＳ）
３８    システムコントロールサービス（ＳＣＳ）
３９    システムリソースマネージャ（ＳＲＭ）
４１    イメージメモリハンドラ（ＩＭＨ）
６０    コントローラ
８０    オペレーションパネル
８１    ファックスコントロールユニット（ＦＣＵ）
８２    エンジン部
１２０    ネットワーク機器
１３１ａ，１３１ｂ    ｈｔｔｐｄ（ＨｙｐｅｒＴｅｘｔ  Ｔｒａｎｓｆｅｒ  Ｐｒｏｔｏｃｏｌ  Ｄａｅｍｏｎ）
１３２ａ，１３２ｂ    文書管理サービス
１３３ａ，１３３ｂ    文書出力サービス
１３４，１４０    チケット
１３５ａ，１３５ｂ    表
１４１，１４４    文書管理サービスのセッションＩＤ
１４３    文書出力サービスのセッションＩＤ
【図１】
2004362161.tif 000003
【図２】
2004362161.tif 000004
【図３】
2004362161.tif 000005
【図４】
2004362161.tif 000006
【図５】
2004362161.tif 000007
【図６】
2004362161.tif 000008
【図７】
2004362161.tif 000009
【図８】
2004362161.tif 000010